(57)【要約】【課題】インバータ内部のスイッチのスイッチング回数を減らし、インバータのスイッチングロスを低減することにある。【解決手段】本発明の一実施形態によるインバータ１００は、スイッチＳ５を含み、直流電圧を半波整流されたサイン波形の電圧に変換するコンバータ１２０と、スイッチＳ１〜Ｓ４を含み、前記半波整流されたサイン波形の電圧をサイン波形の電圧に変換するスイッチング素子部１３０と、コンバータ１２０のスイッチＳ５及びスイッチング素子部１３０のスイッチＳ１〜Ｓ４のオン／オフを制御する制御部１１５とを含む。【選択図】図１
2014054175.tif 000002
【特許請求の範囲】
【請求項１】
スイッチを含み、直流電圧を半波整流されたサイン波形の電圧に変換するコンバータと、
スイッチを含み、前記半波整流されたサイン波形の電圧をサイン波形の電圧に変換するスイッチング素子部と、
前記コンバータのスイッチ及び前記スイッチング素子部のスイッチのオン／オフを制御する制御部と
を含む、インバータ。
【請求項２】
前記コンバータがチュックコンバータである、請求項１に記載のインバータ。
【請求項３】
前記コンバータがフィルタを含む、請求項１に記載のインバータ。
【請求項４】
前記スイッチング素子部の出力端にフィルタが位置する、請求項１に記載のインバータ。
【請求項５】
前記制御部は、前記チュックコンバータ内部のスイッチのスイッチングデューティを時間的に変化させて前記チュックコンバータの出力端に半波整流されたサイン波形の電圧がかかるようにし、前記スイッチング素子部のスイッチを制御して前記インバータの出力端がサイン波形の電圧を出力するようにする、請求項２〜４のいずれか一項に記載のインバータ。
【請求項６】
第１インダクタと、
前記第１インダクタの一端に接続された一端を含む第１スイッチと、
前記第１スイッチの一端に接続された一端を含む第１コンデンサと、
前記第１コンデンサの他端に接続されたアノード及び前記第１スイッチの他端に接続されたカソードを含むダイオードと、
２つの入力端及び２つの出力端を有するブリッジ形に接続された４つの第２スイッチと、
制御部とを含み、
前記２つの入力端が前記ダイオードの両端にそれぞれ接続されている、インバータ。
【請求項７】
前記制御部は、前記第１スイッチのスイッチングデューティを時間的に変化させて前記ダイオードの両端に半波整流されたサイン波形のＰＷＭ制御電圧がかかるようにし、前記４つの第２スイッチを制御して前記２つの出力端がサイン波形の電圧を出力するようにする、請求項６に記載のインバータ。
【請求項８】
前記ダイオードのアノードに接続されたインダクタと、
前記インダクタの他端及び前記ダイオードのカソードに接続されたコンデンサと
をさらに含む、請求項７に記載のインバータ。
【請求項９】
前記２つの出力端のいずれか一方に一端が接続されたインダクタと、
前記２つの出力端の他方に一端が接続されたコンデンサとをさらに含み、
前記インダクタの他端と前記コンデンサの他端とが接続されている、請求項７に記載のインバータ。
【発明の詳細な説明】
【技術分野】
【０００１】
本発明は、インバータに関し、より詳細には高効率のインバータに関する。
【背景技術】
【０００２】
従来のインバータにおいては、入力部による入力電圧がＤＣ／ＤＣコンバータ（ブーストコンバータ又はバックコンバータ）により昇圧又は降圧されると、スイッチング素子部のＰＷＭ制御による４つのスイッチの高速スイッチングにより、昇圧又は降圧された入力電圧を交流電圧に変換する。その後、その変換された交流電圧は、フィルタのフィルタリングにより直流電圧に変換される。
【発明の概要】
【発明が解決しようとする課題】
【０００３】
しかし、従来のインバータにおいては、インバータ内部の全てのスイッチが高速スイッチングするため、スイッチングロスの発生が多いという問題があった。
【０００４】
本発明の目的は、インバータ内部のスイッチのスイッチング回数を減らし、インバータのスイッチングロスを低減することにある。
【課題を解決するための手段】
【０００５】
上記目的を達成するために、本発明の一実施形態によるインバータは、スイッチを含み、直流電圧を半波整流されたサイン波形の電圧に変換するコンバータと、スイッチを含み、前記半波整流されたサイン波形の電圧をサイン波形の電圧に変換するスイッチング素子部と、前記コンバータのスイッチ及び前記スイッチング素子部のスイッチのオン／オフを制御する制御部とを含む。
【０００６】
上記目的を達成するために、本発明の他の実施形態によるインバータは、第１インダクタと、前記第１インダクタの一端に接続された一端を含む第１スイッチと、前記第１スイッチの一端に接続された一端を含む第１コンデンサと、前記第１コンデンサの他端に接続されたアノード及び前記第１スイッチの他端に接続されたカソードを含むダイオードと、２つの入力端及び２つの出力端を有するブリッジ形に接続された４つの第２スイッチと、制御部とを含み、前記２つの入力端が前記ダイオードの両端にそれぞれ接続される。
【発明の効果】
【０００７】
本発明によれば、インバータのスイッチングロスを低減し、インバータの効率を向上させることができる。
【図面の簡単な説明】
【０００８】
【図１】本発明の一実施形態によるインバータの回路図である。
【図２】本発明の一実施形態によるチュックコンバータ内部のスイッチのスイッチングデューティを示す図である。
【図３】本発明の一実施形態によるチュックコンバータの出力電圧の波形図である。
【図４】本発明の一実施形態によるスイッチング素子部の出力過程のフローチャートである。
【図５】本発明の一実施形態によるスイッチング素子部のスイッチのスイッチングデューティを示す図である。
【図６】本発明の一実施形態による出力電圧の波形図である。
【図７】本発明の他の実施形態によるインバータの回路図である。
【図８】本発明の他の実施形態によるフィルタ部分が除去されたチュックコンバータ内部のスイッチのスイッチングデューティを示す図である。
【図９】本発明の他の実施形態によるフィルタ部分が除去されたチュックコンバータの出力電圧の波形図である。
【図１０】本発明の他の実施形態によるスイッチング素子部のスイッチのスイッチングデューティを示す図である。
【図１１】本発明の他の実施形態による出力電圧の波形図である。
【発明を実施するための形態】
【０００９】
以下、本発明の属する技術の分野における通常の知識を有する者が本発明を容易に実施できるように、添付図面を参照して本発明の実施形態を詳細に説明する。ただし、本発明は、ここに説明する実施形態に限定されるものではなく、様々な形態で実現することができる。なお、本発明をより明確に説明するために、図面において、説明と関係ない部分は省略し、明細書全体にわたって同一又は類似の構成要素には同一又は類似の符号を付す。
【００１０】
明細書全体にわたって、ある部分がある構成要素を「含む」ということは、特に断らない限り、他の構成要素を排除するのではなく、他の構成要素をさらに含むこともあるということを意味する。
【００１１】
明細書全体にわたって、ある部分が他の部分に「連結」又は「接続」されているということは、「直接連結」又は「直接接続」される場合も含み、中間にさらに他の部分が存在する場合も含む。
【００１２】
本発明のインバータは、単独で使用して単相インバータで動作するようにしてもよく、例えば３つを連係して３相インバータで動作するようにしてもよい。また、本発明のインバータは、系統連係型、独立型、モータドライバ用など、インバータが用いられる装置に様々な用途で使用することができる。
【００１３】
以下、図１〜図６を参照して本発明の一実施形態によるインバータを説明する。
【００１４】
図１は、本発明の一実施形態によるインバータの回路図である。
図１に示すように、本発明の一実施形態によるインバータ１００は、入力部１１０、制御部１１５、チュックコンバータ１２０、スイッチング素子部１３０及び出力部１４０を含む。
【００１５】
入力部１１０は、入力電圧（Ｖｉ）をチュックコンバータ１２０に出力する。
本発明の一実施形態による入力部１１０は、コンデンサＣ１を含む。
本発明の一実施形態による入力部１１０内部のコンデンサＣ１は、一端がプラス端子に接続されており、他端がマイナス端子に接続されている。
【００１６】
制御部１１５は、スイッチング信号によりスイッチのオン／オフを制御する。
本発明の一実施形態による制御部１１５は、スイッチング信号を調整することにより、スイッチのスイッチングデューティを変更することができる。
【００１７】
チュックコンバータ１２０は、入力電圧（Ｖｉ）を受けて出力電圧（Ｖｉｎｖ１）をスイッチング素子部１３０に出力する。
【００１８】
本発明の一実施形態によるチュックコンバータ１２０は、第１インダクタＬ１、第２インダクタＬ２、第１コンデンサＣ２、第２コンデンサＣ３、ダイオードＤ１及びスイッチＳ５を含む。
【００１９】
第１インダクタＬ１の一端はコンデンサＣ１の一端に接続されており、第１インダクタＬ１の他端は第１コンデンサＣ２の一端に接続されている。
【００２０】
チュックコンバータ１２０内部のスイッチＳ５の一端は第１インダクタＬ１と第１コンデンサＣ２の接点ノードに接続されており、チュックコンバータ１２０内部のスイッチＳ５の他端はマイナス端子に接続されている。
【００２１】
第１コンデンサＣ２の他端は第２インダクタＬ２の一端に接続されている。
第２インダクタＬ２の他端は第２コンデンサＣ３の一端に接続されている。
第２コンデンサＣ３の他端はマイナス端子に接続されている。
【００２２】
ダイオードＤ１のアノードは第１コンデンサＣ２と第２インダクタＬ２の接点ノードに接続されており、ダイオードＤ１のカソードはマイナス端子に接続されている。
【００２３】
入力電圧（Ｖｉ）に対するチュックコンバータ１２０の出力電圧（Ｖｉｎｖ１）の比は、数式１のように定義される。
【００２４】
（数式１）
【数１】
2014054175.tif 000003
（Ｖｉｎｖ１：チュックコンバータ１２０の出力電圧、Ｖｉ：入力電圧、Ｄ：チュックコンバータ１２０内部のスイッチＳ５のスイッチングデューティ）
【００２５】
数式１によれば、チュックコンバータ１２０の出力電圧（Ｖｉｎｖ１）は、スイッチングデューティを調整するとそれに対応して変更される。
【００２６】
本発明の一実施形態によれば、入力電圧（Ｖｉ）として一定のＤＣ電圧が印加される場合、制御部１１５がチュックコンバータ１２０内部のスイッチＳ５のスイッチングデューティ（Ｄ）を変更すると、スイッチＳ５のスイッチングデューティ（Ｄ）の数値に対応して、チュックコンバータ１２０の出力電圧（Ｖｉｎｖ１）が変更される。従って、スイッチＳ５のスイッチングデューティ（Ｄ）の数値を調整して使用者が希望するチュックコンバータ１２０の出力電圧（Ｖｉｎｖ１）を得ることができる。本発明の一実施形態においては、制御部１１５がスイッチＳ５のスイッチングデューティ（Ｄ）を調整すると、本発明の一実施形態によるチュックコンバータ１２０は、入力電圧（Ｖｉ）を半波整流されたサイン波形の電圧に変換して出力する。
【００２７】
図２は、本発明の一実施形態によるチュックコンバータ内部のスイッチのスイッチングデューティを示す図であり、図３は、本発明の一実施形態によるチュックコンバータの出力電圧の波形図である。
【００２８】
本発明の一実施形態によれば、図２のように制御部１１５がチュックコンバータ１２０内部のスイッチＳ５のスイッチングデューティを任意に調整すると、チュックコンバータ１２０は、出力電圧（Ｖｉｎｖ１）として、図３のような半波整流されたサイン波形の電圧を出力する。
【００２９】
スイッチング素子部１３０は、チュックコンバータ１２０の出力電圧（Ｖｉｎｖ１）の入力を受けて出力電圧（Ｖｏｕｔ１）を出力する。
【００３０】
本発明の一実施形態によるスイッチング素子部１３０は、４つのスイッチＳ１、Ｓ２、Ｓ３、Ｓ４を含む。
【００３１】
本発明の一実施形態によるスイッチＳ１〜Ｓ４は、直列接続された第１、第２スイッチＳ１、Ｓ２及び直列接続された第３、第４スイッチＳ３、Ｓ４が、それぞれ第２コンデンサＣ３と並列に接続されている。
【００３２】
本発明の一実施形態によるスイッチＳ１〜Ｓ４は、制御部１１５のスイッチング信号により動作する。本発明の一実施形態によれば、制御部１１５は、スイッチング信号を調整することにより、１組の第１、第４スイッチ（第１組のスイッチ）Ｓ１、Ｓ４と他の１組の第２、第３スイッチ（第２組のスイッチ）Ｓ２、Ｓ３とを組別に交互にスイッチングする。
【００３３】
スイッチのスイッチング時点は、スイッチング素子部１３０の出力電圧が０（ゼロ）になる時点である。
【００３４】
図４は、本発明の一実施形態によるスイッチング素子部の出力過程のフローチャートである。
【００３５】
次に、図４を参照してスイッチング素子部１３０の出力過程を説明する。
制御部１１５は、スイッチング素子部１３０にチュックコンバータ１２０の出力電圧（Ｖｉｎｖ１）が入力されることを感知する（Ｓ１０１）。本発明の一実施形態によれば、チュックコンバータ１２０の出力電圧（Ｖｉｎｖ１）は、半波整流されたサイン波形を有する。
【００３６】
その後、制御部１１５は、スイッチング信号をスイッチＳ１〜Ｓ４に送り、第１組のスイッチＳ１、Ｓ４をオフし、第２組のスイッチＳ２、Ｓ３をオンする（Ｓ１０３）。
【００３７】
第１組のスイッチＳ１、Ｓ４がオフされ、第２組のスイッチＳ２、Ｓ３がオンされると、スイッチング素子部１３０は、入力をそのまま出力する。本発明の一実施形態によれば、スイッチング素子部１３０は、半波整流されたサイン波形をそのまま出力する（Ｓ１０５）。すなわち、スイッチング素子部１３０は、サイン波形の正の部分を出力する。
【００３８】
その後、スイッチング素子部１３０の出力が０になれば、制御部１１５は、スイッチング信号をスイッチＳ１〜Ｓ４に送り、第２組のスイッチＳ２、Ｓ３をオフし、第１組のスイッチＳ１、Ｓ４をオンする（Ｓ１０９）。もし、スイッチング素子部１３０の出力が０にならなければ、制御部１１５は、スイッチング信号を送らず、スイッチング素子部１３０が入力をそのまま出力する状態を維持する（Ｓ１０７）。
【００３９】
制御部１１５がスイッチング信号をスイッチＳ１〜Ｓ４に送り、第２組のスイッチＳ２、Ｓ３がオフされ、第１組のスイッチＳ１、Ｓ４がオンされると、スイッチング素子部１３０は、入力を反転させて出力する（Ｓ１１１）。すなわち、スイッチング素子部１３０は、サイン波形の負の部分を出力する。
【００４０】
その後、再びスイッチング素子部１３０の出力が０になれば、制御部１１５は、再びスイッチング信号をスイッチＳ１〜Ｓ４に送り、第１組のスイッチＳ１、Ｓ４をオフし、第２組のスイッチＳ２、Ｓ３をオンする。次いで、再び前記ステップＳ１０３〜Ｓ１１３を繰り返す。もし、スイッチング素子部１３０の出力が０にならなければ、制御部１１５は、スイッチング信号を送らず、スイッチング素子部１３０が入力を反転させて出力し続ける（Ｓ１１３）。
【００４１】
本発明の一実施形態によれば、前記ステップＳ１０１〜Ｓ１１３により、スイッチング素子部１３０は、半波整流されたサイン波形の入力をサイン波形に変換して出力する。
【００４２】
本発明の一実施形態によれば、まず、制御部１１５がスイッチング信号により第２組のスイッチをオンして第１組のスイッチをオフした場合、スイッチング素子部１３０は、出力としてサイン波形を出力する。その後、スイッチング素子部１３０がサイン波形の正の部分を全部出力すると、制御部１１５は、スイッチング信号により第２組のスイッチをオフして第１組のスイッチをオンする。このとき、スイッチング素子部１３０は、入力を反転させて出力する。すなわち、スイッチング素子部１３０は、サイン波形の負の部分を出力する。また、前記過程を繰り返してサイン波形の電圧を生成することができる。
【００４３】
従って、スイッチング素子部１３０内部のスイッチＳ２、Ｓ３を閉じてスイッチＳ１、Ｓ４を開いた場合、サイン波形の正の方向が出力され、スイッチング素子部１３０内部のスイッチＳ１、Ｓ４を閉じてスイッチＳ２、Ｓ３を開いた場合、サイン波形の負の方向が出力される。
【００４４】
本発明の一実施形態によれば、制御部１１５は、スイッチＳ５のスイッチングデューティを時間的に変化させてチュックコンバータ１２０の出力端に半波整流されたサイン波形の電圧がかかるようにし、４つのスイッチＳ１〜Ｓ４を制御してインバータ１００の出力端がサイン波形の電圧を出力するようにする。
【００４５】
図５は、本発明の一実施形態によるスイッチング素子部のスイッチのスイッチングデューティを示す図である。
【００４６】
図５から分かるように、スイッチング素子部１３０内部のスイッチＳ１〜Ｓ４は、チュックコンバータ１２０内部のスイッチＳ５よりスイッチングが少ない。
【００４７】
このような方式により、スイッチング素子部１３０内部のスイッチＳ１〜Ｓ４は、従来とは異なり、半波整流されたサイン波形の出力をサイン波形に変換する役割を果たすだけで、高速スイッチングによるＰＷＭ制御には関与しないため、従来と比較してスイッチングロスが低減される。
【００４８】
出力部１４０は、スイッチング素子部１３０から出力された値（Ｖｏｕｔ１）を出力する。
【００４９】
本発明の一実施形態による出力部１４０は、図１から分かるように、スイッチング素子部１３０内部のスイッチのうちスイッチＳ１、Ｓ２の接点ノードとスイッチＳ３、Ｓ４の接点ノード間の電圧を出力する。
【００５０】
図６は、本発明の一実施形態による出力電圧の波形図である。
図６から分かるように、本発明の一実施形態による出力電圧（Ｖｏｕｔ１）は、サイン波形を有する。
【００５１】
以下、図７〜図１１を参照して本発明の他の実施形態によるインバータを説明する。
【００５２】
図７は、本発明の他の実施形態によるインバータの回路図である。
図７に示すように、本発明の他の実施形態によるインバータ２００は、入力部２１０、制御部１１５、フィルタ部分が除去されたチュックコンバータ２２０、スイッチング素子部２３０、フィルタ部２４０及び出力部２５０を含む。
【００５３】
フィルタ部分が除去されたチュックコンバータ２２０は、入力電圧（Ｖｉ）を受けて出力電圧（Ｖｉｎｖ２）をスイッチング素子部２３０に出力する。
【００５４】
本発明の他の実施形態によるフィルタ部分が除去されたチュックコンバータ２２０は、インダクタＬ３、コンデンサＣ４、ダイオードＤ２及びスイッチＳ１０を含む。
【００５５】
インダクタＬ３の一端はコンデンサＣ１の一端に接続されており、インダクタＬ３の他端はコンデンサＣ４の一端に接続されている。
【００５６】
フィルタ部分が除去されたチュックコンバータ２２０内部のスイッチＳ１０の一端はインダクタＬ３とコンデンサＣ４の接点ノードに接続されており、フィルタ部分が除去されたチュックコンバータ２２０内部のスイッチＳ１０の他端はマイナス端子に接続されている。
【００５７】
ダイオードＤ２のアノードはコンデンサＣ４の他端に接続されており、ダイオードＤ２のカソードはマイナス端子に接続されている。
【００５８】
入力電圧（Ｖｉ）に対するフィルタ部分が除去されたチュックコンバータ２２０の出力電圧（Ｖｉｎｖ２）の比は、数式２のように定義される。
【００５９】
(数式２）
【数２】
2014054175.tif 000004
（Ｖｉｎｖ２：フィルタ部分が除去されたチュックコンバータ２２０の出力電圧、Ｖｉ：入力電圧、Ｄ：フィルタ部分が除去されたチュックコンバータ２２０内部のスイッチＳ１０のスイッチングデューティ）
【００６０】
数式２によれば、フィルタ部分が除去されたチュックコンバータ２２０の出力電圧（Ｖｉｎｖ２）は、スイッチングデューティを調整するとそれに対応して変更される。
【００６１】
本発明の他の実施形態によれば、入力電圧（Ｖｉ）として一定のＤＣ電圧が印加される場合、制御部１１５がフィルタ部分が除去されたチュックコンバータ２２０内部のスイッチＳ１０のスイッチングデューティ（Ｄ）を変更すると、スイッチＳ１０のスイッチングデューティ（Ｄ）の数値に対応して、フィルタ部分が除去されたチュックコンバータ２２０の出力電圧（Ｖｉｎｖ２）が変更される。
【００６２】
従って、スイッチＳ１０のスイッチングデューティ（Ｄ）の数値を調整して使用者が希望するフィルタ部分が除去されたチュックコンバータ２２０の出力電圧（Ｖｉｎｖ２）を得ることができる。本発明の他の実施形態においては、制御部１１５がスイッチＳ１０のスイッチングデューティ（Ｄ）を調整すると、本発明の他の実施形態によるフィルタ部分が除去されたチュックコンバータ２２０は、入力電圧（Ｖｉ）を半波整流されたサイン波形のＰＷＭ制御電圧に変換して出力する。
【００６３】
図８は、本発明の他の実施形態によるフィルタ部分が除去されたチュックコンバータ内部のスイッチのスイッチングデューティを示す図であり、図９は、本発明の他の実施形態によるフィルタ部分が除去されたチュックコンバータの出力電圧の波形図である。
【００６４】
本発明の他の実施形態によれば、図８のように制御部１１５がフィルタ部分が除去されたチュックコンバータ２２０内部のスイッチＳ１０のスイッチングデューティを任意に調整すると、フィルタ部分が除去されたチュックコンバータ２２０は、出力電圧（Ｖｉｎｖ２）として、図９のような半波整流されたサイン波形のＰＷＭ制御電圧を出力する。
【００６５】
スイッチング素子部２３０は、フィルタ部分が除去されたチュックコンバータ２２０の出力電圧（Ｖｉｎｖ２）の入力を受けて出力電圧（Ｖｏｕｔ２）を出力する。
【００６６】
本発明の他の実施形態によるスイッチング素子部２３０は、４つのスイッチＳ６、Ｓ７、Ｓ８、Ｓ９を含む。
【００６７】
本発明の他の実施形態によるスイッチＳ６〜Ｓ９は、直列接続された第１、第２スイッチＳ６、Ｓ７及び直列接続された第３、第４スイッチＳ８、Ｓ９が、それぞれダイオードＤ２と並列に接続されている。
【００６８】
本発明の他の実施形態によるスイッチＳ６〜Ｓ９は、制御部１１５のスイッチング信号により動作する。本発明の他の実施形態によれば、制御部１１５は、スイッチング信号を調整することにより、１組の第６、第９スイッチ（第１組のスイッチ）Ｓ６、Ｓ９と他の１組の第７、第８スイッチ（第２組のスイッチ）Ｓ７、Ｓ８とを組別に交互にスイッチングする。
【００６９】
スイッチのスイッチング時点は、スイッチング素子部２３０の出力電圧が０（ゼロ）になる時点である。
【００７０】
本発明の他の実施形態によるスイッチング素子部２３０の出力過程は、本発明の一実施形態のステップＳ１０３〜Ｓ１１３の過程に従う。ただし、スイッチＳ６〜Ｓ９は、それぞれスイッチＳ１〜Ｓ４に対応する。また、スイッチング素子部２３０の入力電圧は、半波整流されたサイン波形の電圧ではなく、半波整流されたサイン波形のＰＷＭ制御電圧である。
【００７１】
本発明の他の実施形態によれば、制御部１１５は、スイッチＳ１０のスイッチングデューティを時間的に変化させてダイオードＤ２の両端に半波整流されたサイン波形のＰＷＭ制御電圧がかかるようにし、４つのスイッチＳ６〜Ｓ９を制御してインバータ２００の出力端がサイン波形の電圧を出力するようにする。
【００７２】
図１０は、本発明の他の実施形態によるスイッチング素子部のスイッチのスイッチングデューティを示す図である。
【００７３】
図１０から分かるように、スイッチング素子部２３０内部のスイッチＳ６〜Ｓ９は、フィルタ部分が除去されたチュックコンバータ２２０内部のスイッチＳ１０よりスイッチングが少ない。
【００７４】
このような方式により、スイッチング素子部２３０内部のスイッチＳ６〜Ｓ９は、従来とは異なり、半波整流されたサイン波形のＰＷＭ制御電圧をサイン波形のＰＷＭ制御電圧に変換する役割を果たすだけで、高速スイッチングによるＰＷＭ制御には関与しないため、従来と比較してスイッチングロスが低減される。
【００７５】
フィルタ部２４０は、スイッチング素子部２３０の出力をフィルタリングする。
本発明の他の実施形態によるフィルタ部２４０は、インダクタＬ４及びコンデンサＣ５を含む。
【００７６】
インダクタＬ４の一端はスイッチＳ６とスイッチＳ７の接点ノードに接続されており、インダクタＬ４の他端はコンデンサＣ５の一端に接続されている。
【００７７】
コンデンサＣ５の他端はスイッチＳ８とスイッチＳ９の接点ノードに接続されている。
出力部２５０は、フィルタ部２４０でフィルタリングされた値を出力する。
本発明の他の実施形態による出力部２５０は、図７に示すように、コンデンサＣ５両端の電圧（Ｖｏｕｔ２）を出力する。
【００７８】
図１１は、本発明の他の実施形態による出力電圧の波形図である。
図１１から分かるように、本発明の他の実施形態による出力電圧（Ｖｏｕｔ２）は、サイン波形を有する。
【００７９】
以上説明した本発明の実施形態は、装置及び方法によってのみ実現されるものではなく、本発明の実施形態の構成に対応する機能を実現するプログラム又はそのプログラムが記録された記録媒体により実現することもでき、このような実現は、前述した実施形態の記載から本発明の属する技術の分野における通常の知識を有する者にとって容易である。
【００８０】
以上、本発明の実施形態について詳細に説明したが、本発明の権利範囲はこれに限定されるものではなく、特許請求の範囲で定義される本発明の基本概念を用いた当業者の様々な変形や改良形態も本発明の権利範囲に含まれる。
【符号の説明】
【００８１】
１００    インバータ
１１０    入力部
１１５    制御部
１２０    チュックコンバータ
１３０    スイッチング素子部
１４０    出力部
２００    インバータ
２１０    入力部
２２０    フィルタ部分が除去されたチュックコンバータ
２３０    スイッチング素子部
２４０    フィルタ部
２５０    出力部
【図１】
2014054175.tif 000005
【図２】
2014054175.tif 000006
【図３】
2014054175.tif 000007
【図４】
2014054175.tif 000008
【図５】
2014054175.tif 000009
【図６】
2014054175.tif 000010
【図７】
2014054175.tif 000011
【図８】
2014054175.tif 000012
【図９】
2014054175.tif 000013
【図１０】
2014054175.tif 000014
【図１１】
2014054175.tif 000015